(57)【要約】【課題】従来技術として、補正値として標準制御値に盛り込む方法や補正値を選択方式にする方法などにより、ダクトにて発生する熱損失（または熱負荷）を推定して制御する技術が知られているが、制御精度確保に対して十分な方法ではない。【解決手段】本発明では、室内用空気吹出口１８の近傍へ空気温度検知部２２を取り付けして、空気温度検知部２２での検知温度が制御機器２０の設定温度に近づくよう、圧縮機６の出力や暖房用膨張機構８の絞り量を制御して暖房運転を行うようにする。本発明は、室内機用空気吹出ダクト１６の材質の違いや熱源の影響などの設置先にて発生するバラツキを考慮しなくても、空気温度検知部２２での検知温度が制御機器２０の設定温度に近づくよう制御すれば吹出空気温度の制御精度が確保できるものである。【選択図】  図１
2012026638.tif 000002
【特許請求の範囲】
【請求項１】
圧縮機，蒸発器，凝縮器，冷房用膨張機構，暖房用膨張機構，受液器などの補器類、およびこれらを接続する冷媒配管で構成される冷凍サイクルを用い、室内に設置される室内機がダクトを介して室外の空気を吸込んで運転する外気処理空調機において、
ダクトにて熱負荷が発生した場合に、吹出空気温度の精度を確保する制御を行うため、空気温度検知部を室内の空気吹出口近傍に追加取り付けた外気処理空調機。
【請求項２】
圧縮機，蒸発器，凝縮器，冷房用膨張機構，暖房用膨張機構，受液器などの補器類、およびこれらを接続する冷媒配管で構成される冷凍サイクルを用い、室内に設置される室内機がダクトを介して室内の空気を吸込んで運転する室内空調機において、
空気温度検知部を室内の空気吹出口近傍に追加取り付けした室内空調機。
【請求項３】
請求項１または２において、
ダクトでの通風抵抗が大きく風量が低下した場合に、空気温度検知部の情報に基づいて前記圧縮機の出力または前記暖房用膨張機構の絞り量の制御を行うことを特徴とする外気処理空調機または室内空調機。
【請求項４】
請求項１または２において、
ダクトでの通風抵抗が小さく風量が上昇した場合に、空気温度検知部の情報に基づいて前記圧縮機の出力または前記暖房用膨張機構の絞り量の制御を行うことを特徴とする外気処理空調機または室内空調機。
【発明の詳細な説明】
【技術分野】
【０００１】
本発明は、室内に設置される室内機がダクトを介して室外の空気を吸込みして運転する外気処理空調機に関し、特に吹出空気温度の制御精度確保に関するものである。
【背景技術】
【０００２】
室内に設置される室内機がダクトを介して室外の空気を吸込んで運転する外気処理空調機において、吹出空気温度検知部の検知温度を制御機器の設定温度に近づけるよう冷暖房運転を行う場合、設置先にて選定，施工されるダクト材質の違いやダクト経路周辺の熱源の影響などによって、実際に室内へ吹き出される空気温度が制御機器の設定温度に近づかない状況がある。
【０００３】
このように、ダクト材質の違いやダクト経路周辺の熱源の影響などによって吹出空気温度が変動する場合の空気調和機の対応としては、あらかじめ変動値を推定して補正値として標準制御値に盛り込む方法や、補正値を選択方式にして設置後に吹出空気温度の変動値を把握し、適正な補正値に設定する方法などが挙げられる。
【０００４】
補正値として標準制御値に盛り込む方法は、外気処理空調機の吹出空気温度検知部と熱交換器の位置関係を把握し、それによる吹出空気温度への影響度を確認したり、一般的なダクト材質，長さなどを仮定するなどして実際に室内へ吹き出される空気温度の変動値を推定する必要がある。しかし、設置先で選定されるダクト材質は多岐に渡るため推定した変動値との間に差が生じたり、ダクト経路周辺の熱源の影響については予測が困難であるため制御精度確保には繋がらない。
【０００５】
また、補正値を選択方式にする方法は、例えばダクト経路周辺に熱源がある場合、冷房運転と暖房運転とで補正値の設定変更がシーズンごとに発生する。これは人為的な設定であり設定変更を行わないことも考えられるため、制御精度確保に対して十分な方法ではない。
【０００６】
そこで、補正値として標準制御値に盛り込む方法や補正値を選択方式にする方法を使用しないように考案されているのが特許文献１に示されるような方法である。これは、冷房運転時の冷え過ぎや暖房運転時の暖まり過ぎが発生した場合、通過風量を変化させることで温度制御を行うものである。
【先行技術文献】
【特許文献】
【０００７】
【特許文献１】特開平２−１２２１３８号公報
【発明の概要】
【発明が解決しようとする課題】
【０００８】
しかし、外気処理空調機については常に一定風量を確保する必要性が高いため、風量を制御する方法は適用できない。
【０００９】
また、給気ダクトにより外気を導いてリターンダクトの循環空気と混合させて温度制御を行い一定風量を確保する方法もあるが、外気処理空調機の給気は１００％外気であるため循環空気と混合させる方法は適用できない。
【００１０】
上記従来の技術で述べたように、ダクトを介して室外の空気を吸込んで運転する外気処理空調機において、吹出空気温度検知部の検知温度を制御機器の設定温度に近づけるよう冷暖房運転を行う場合では、ダクト材質の違いやダクト経路周辺の熱源の影響などによって、実際に室内へ吹き出される空気温度が制御機器の設定温度に近づかない状況が考えられる。
【００１１】
しかし、補正値として標準制御値に盛り込む方法や補正値を選択方式にする方法は、制御精度確保に対して十分な方法ではない。
【課題を解決するための手段】
【００１２】
上記課題を解決するため、本発明では、設置先にて選定，施工される空気吹出口近傍へ吹出空気温度検知部を新たに取り付け、そこでの検知温度を制御機器の設定温度に近づけるよう冷暖房運転を行うことで制御精度確保させることを提案する。
【００１３】
具体的には、外気処理空調機は吹出空気温度検知部を有しており、実際に室内へ吹き出される空気温度が制御機器の設定温度に対してダクト材質の違いやダクト経路周辺の熱源の影響などを一切受けない状態であれば制御精度に問題ないため、このままの状態とする。
【００１４】
しかし、実際に室内へ吹き出される空気温度が制御機器の設定温度に対してダクト材質の違いやダクト経路周辺の熱源の影響などを受ける場合、外気処理空調機用制御基板の空き端子に適度な配線長を有する空気温度検知部を接続し、設置先にて選定，施工される空気吹出口近傍に取り付けすることで、自動的に制御対象を外気処理空調機用の吹出空気温度検知部から空気吹出口近傍に取り付けする空気温度検知部へ変更させる。
【００１５】
この際、外気処理空調機用の吹出空気温度検知部は吹出空気温度の制御以外にも暖まり過ぎによる電気部品や樹脂部品の破損防止機能などの目的を有している場合があるため、ここでの自動変更はあくまで吹出空気温度の制御に関わるもののみとし、電気部品や樹脂部品の破損防止など保護的な機能は外気処理空調機用の吹出空気温度検知部に残すこととする。
【００１６】
このような制御を採用することにより、補正値として標準制御値に盛り込む方法や補正値を選択方式にする方法から懸念されていた推定や人為的な不確定さは払拭され、吹出空気温度の制御精度を確保させることが可能となる。
【発明の効果】
【００１７】
本発明は、適度な配線長を有する空気温度検知部を接続し制御対象部分の設置先にて選定，施工される空気吹出口近傍に取り付けし実際に検知することで、設置先にて選定，施工されるダクト材質の違いやダクト経路周辺の熱源の影響など不確定であるがために推定で制御していた吹出空気温度の制御精度を確保させることが可能となる。
【図面の簡単な説明】
【００１８】
【図１】本発明による吹出空気温度の制御精度向上の運転例を、冷凍サイクル図に置き換えて簡略に表した図である。
【図２】本発明による吹出空気温度の制御精度向上を、外気処理空調機に適用した場合の施工例を示す図である。
【発明を実施するための形態】
【００１９】
以下、図面を用いて実施例を説明する。
【実施例１】
【００２０】
図１は、本発明による吹出空気温度の制御精度確保を、外気処理空調機に適用した場合の冷凍サイクルの一例を示したものである。また、図２は、本発明による吹出空気温度の制御精度確保を、外気処理空調機に適用した場合の施工例を示したものである。室内機用熱交換器１，冷房用膨張機構２を冷媒ガス配管３，冷媒液配管４で接続して室内機５とし、圧縮機６，室外機用熱交換器７，暖房用膨張機構８，四方弁９を冷媒配管１０で接続して室外機１１とする。室内機５と室外機１１を接続配管１２により接続し、冷凍サイクルを形成するものとする。なお、本発明による外気処理空調機は室内機５を指すものとする。
【００２１】
ここで、冷凍サイクルによる運転状態について暖房運転を例にして簡単に説明する。図１の矢印は、暖房運転時の冷媒の流れを示すものである。圧縮機６にて圧縮された高温高圧ガス冷媒は室内機用熱交換器１にて凝縮され中温高圧液冷媒となり、暖房用膨張機構８にて膨張されて中温低圧混合冷媒となる。その後、室外機用熱交換器７にて蒸発されて低温低圧ガス冷媒となり、圧縮機６へ戻ることにより冷凍サイクルを形成している。
【００２２】
このとき、冷房用膨張機構２は制御されていない。また、空気の流れを簡単に説明すると、室内機用空気吸込ダクト１３より吸込まれた空気１４は、室内機用熱交換器１を通過して暖められ、室内機用送風機１５にて室内機用空気吹出ダクト１６から空気の流れ１７のように室内用空気吹出口１８を経て室内へ導入される。
【００２３】
暖房運転時に、吸込空気温度検知部１９にて検知された空気温度が制御機器２０の設定温度より高い場合は暖房運転が不要と判断し、室内機５は送風運転となる。一方、吸込空気温度検知部１９にて検知された空気温度が制御機器２０の設定温度より低い場合は吹出空気温度検知部２１での検知温度が制御機器２０の設定温度に近づくよう、圧縮機６の出力や暖房用膨張機構８の絞り量を制御して暖房運転を行う。
【００２４】
この際、室内機用空気吹出ダクト１６の保温性が低い場合は室内用空気吹出口１８を経て室内へ導入される間に空気の流れ１７の空気温度が低下して、制御機器２０の設定温度より低下してしまう。
【００２５】
そこで、本発明では室内用空気吹出口１８の近傍へ空気温度検知部２２を取り付けして、空気温度検知部２２での検知温度が制御機器２０の設定温度に近づくよう、圧縮機６の出力や暖房用膨張機構８の絞り量を制御して暖房運転を行うようにする。ここで、図示していないが室内機５の電気部品や樹脂部品の暖まり過ぎによる破損防止機能などは吹出空気温度検知部２１に残して、安全性は確保する。
【００２６】
本発明は、室内機用空気吹出ダクト１６の材質の違いや熱源の影響などの設置先にて発生するバラツキを考慮しなくても、空気温度検知部２２での検知温度が制御機器２０の設定温度に近づくよう制御すれば吹出空気温度の制御精度が確保できるものである。
【符号の説明】
【００２７】
１  室内機用熱交換器
２  冷房用膨張機構
３  冷媒ガス配管
４  冷媒液配管
５  室内機
６  圧縮機
７  室外機用熱交換器
８  暖房用膨張機構
９  四方弁
１０  冷媒配管
１１  室外機
１２  接続配管
１３  室内機用空気吸込ダクト
１４  吸込まれた空気
１５  室内機用送風機
１６  室内機用空気吹出ダクト
１７  空気の流れ
１８  室内用空気吹出口
１９  吸込空気温度検知部
２０  制御機器
２１  吹出空気温度検知部
２２  空気温度検知部
【図１】
2012026638.tif 000003
【図２】
2012026638.tif 000004